(57)【特許請求の範囲】
【請求項１】
壁面に取り付けて使用する物品を、当該壁面に貼られた壁紙に対して貼着する際に用い、凹凸面を有する壁紙に剥離可能に取り付けられるアンカーシートを含み、上記アンカーシートを上記壁紙へと固定するようにした壁紙用物品支持具であって、
上記アンカーシートは、基材と、上記基材の一方の面に形成される粘着剤層とからなり、
上記粘着剤層は、再剥離性を有し、上記アンカーシートを壁紙から取り外す際に上記粘着剤層が凝集破壊を起こすことがない粘着剤からなり、
上記基材は、表面に原料繊維に起因する微細な凹凸面がある紙材からなることを特徴とする壁紙用物品支持具。
【請求項２】
壁面に取り付けて使用する物品を、当該壁面に貼られた壁紙に対して貼着する際に用い、凹凸面を有する壁紙に剥離可能に取り付けられるアンカーシートを含み、上記アンカーシートを上記壁紙へと固定するようにした壁紙用物品支持具であって、
上記アンカーシートは、基材と、上記基材の一方の面に形成される粘着剤層とからなり、
上記粘着剤層は、再剥離性を有し、層厚が１０〜５０μｍとされ、
上記基材は、表面に原料繊維に起因する微細な凹凸面がある紙材からなることを特徴とする壁紙用物品支持具。
【請求項３】
上記粘着剤層の層厚が１０〜５０μｍであることを特徴とする請求項１に記載の壁紙用物品支持具。
【請求項４】
上記基材が和紙であることを特徴とする請求項１ないし３のいずれか１項に記載の壁紙用物品支持具。
【請求項５】
上記粘着剤層の粘着剤がアクリル系粘着剤であることを特徴とする請求項１ないし４のいずれか１項に記載の壁紙用物品支持具。
【請求項６】
上記アンカーシートの表面にフック、フィルムミラー、小物入れ、額縁等の物品が取り付けられるベースプレートをさらに含み、上記アンカーシートを介して、上記ベースプレートを上記壁紙へと固定するようにされており、
上記ベースプレートは、その裏面側に上記アンカーシートとの接着手段を備えることを特徴とする請求項１ないし５のいずれか１項に記載の壁紙用物品支持具。
【請求項７】
上記接着手段は、上記基材に対して３Ｎ／２０ｍｍ以上の接着力を有することを特徴とする請求項６に記載の壁紙用物品支持具。
【請求項８】
上記接着手段が、両面粘着テープであることを特徴とする請求項６または７に記載の壁紙用物品支持具。
【請求項９】
上記ベースプレートは、上記物品が取り付けられた際に、撓みなどの変形が生じない材料からなることを特徴とする請求項６ないし８のいずれか１項に記載の壁紙用物品支持具。
【請求項１０】
上記ベースプレートは、樹脂シートからなることを特徴とする請求項９に記載の壁紙用物品支持具。
【請求項１１】
上記ベースプレートは木材からなることを特徴とする請求項９に記載の壁紙用物品支持具。
【請求項１２】
上記ベースプレートは金属材料からなることを特徴とする請求項９に記載の壁紙用物品支持具。
【請求項１３】
上記ベースプレートには、図柄や色彩等の印刷が施されていることを特徴とする請求項６ないし１２のいずれか１項に記載の壁紙用物品支持具。
【請求項１４】
凹凸面を有する壁紙にフック、フィルムミラー、小物入れ、額縁等の物品を取り付けるにあたって、上記壁紙の上記物品の取り付け位置に貼着し、上記物品と上記壁紙との間に介在される物品取付け用のアンカーシートであって、
上記アンカーシートは、基材と、上記基材の一方の面に形成され、上記壁紙に対して貼着を行うための粘着剤層とを備え、
上記粘着剤層は、再剥離性を有し、上記アンカーシートを壁紙から取り外す際に上記粘着剤層が凝集破壊を起こすことがない粘着剤からなり、
上記基材は、表面に原料繊維に起因する微細な凹凸面がある紙材からなることを特徴とする物品取付け用のアンカーシート。
【請求項１５】
凹凸面を有する壁紙にフック、フィルムミラー、小物入れ、額縁等の物品を取り付けるにあたって、上記壁紙の上記物品の取り付け位置に貼着し、上記物品と上記壁紙との間に介在される物品取付け用のアンカーシートであって、
上記アンカーシートは、基材と、上記基材の一方の面に形成され、上記壁紙に対して貼着を行うための粘着剤層とを備え、
上記粘着剤層は、再剥離性を有し、層厚が１０〜５０μｍとされ、
上記基材は、表面に原料繊維に起因する微細な凹凸面がある紙材からなることを特徴とする物品取付け用のアンカーシート。
【請求項１６】
上記基材が和紙であることを特徴とする請求項１４または１５に記載のアンカーシート。
【発明の詳細な説明】
【技術分野】
【０００１】
本発明は、凹凸面のある壁紙に貼着可能な壁紙用物品支持具および物品取付け用のアンカーシートに関し、さらに詳しくいえば、金属製フック等のある程度重量のある物品を支持することができるとともに、壁紙を傷つけることなく剥離することができる壁紙用物品支持具および物品取付け用のアンカーシートに関する。
【背景技術】
【０００２】
フック等の物品を壁面に取り付けるには、両面粘着テープ等を介して壁面に貼り付けたり、くぎやねじ等の締結部品を介して壁面に取り付けるのが一般的である。
【０００３】
しかしながら、現在の家屋の壁面には下地の保護や装飾的な観点から壁紙が貼られていることが多い。そのため、粘着テープを介してフック等を取り付けた場合には、それを取り外す際に粘着テープの粘着面とともに壁紙が剥がれ、場合によっては、壁紙のみならず壁面も傷つけてしまうという問題があった。
【０００４】
また、現在、一般的に普及している壁紙の多くがその表面に凹凸を有する塩化ビニル製である。そのため、両面粘着テープを介してフック等の係止具を固定しようとしても、両面粘着テープの粘着面は壁紙の凸部と単に接触しているにすぎず、安定的な固定状態を保つことができない。
【０００５】
特に、例えば、金属製などの、ある程度重量のあるフック等では、すぐに脱落してしまい、取付けは殆ど不可能であった。
【０００６】
一方、フック等の係止具をくぎやねじ等を介して壁面に取り付ける方法では、壁紙が平坦であるか凹凸面であるかにかかわらず、確実に取り付けることはできるとはいうものの、壁紙のみならず壁面にもくぎやねじ等の穴が残り、両面粘着テープの場合と同様に壁面を傷つけてしまうという問題があった。
【０００７】
そこで、最近では、凹凸面のある壁面に対して物品を固定するとともに、壁面を傷つけることなく再剥離できる粘着テープとして、水膨潤性の粘着剤を用いた粘着テープが提案されている（下記特許文献１参照）。
【０００８】
この粘着テープは、基材に透水性のある素材を使用するとともに、基材の層間破壊強度を粘着剤の粘着強度より弱めることにより、粘着テープを壁面から剥がす際に、破壊された基材の上から水をかけることによって水膨潤性を含む粘着剤に水を浸透させ膨潤させて粘着力を落とし、壁面に傷をつけずに物品を取り外すことができる。
【０００９】
しかしながら、この水膨潤性の粘着剤を用いた粘着テープは、高湿度下で保管した場合に粘着力が低下するといった問題があるほか、粘着力が弱いため、ポスターなどの軽量物しか保持することができない。
【００１０】
また、下記特許文献２にあるように、アクリルやウレタンなどの復元性を有する発泡樹脂を利用した粘着テープもあるが、粘着剤に水溶性のアクリル樹脂を塗布していることから、下記特許文献１と同様に、高湿度下においては粘着力の低下が懸念されている。
【先行技術文献】
【特許文献】
【００１１】
【特許文献１】特開２０１０−１００６８８号公報
【特許文献２】特開２００９−１２０７４２号公報
【発明の概要】
【発明が解決しようとする課題】
【００１２】
そこで、本発明は、凹凸面のある壁紙に貼着可能で、かつ、取り外す際にも壁面を傷つけることなく容易に剥離させることができ、ある程度重量があるフック等の物品を確実に支持することができる壁紙用物品支持具を提供することにある。
【課題を解決するための手段】
【００１３】
上述した課題を達成するため、本発明は、壁面に取り付けて使用する物品を、当該壁面に貼られた壁紙に対して貼着する際に用い、凹凸面を有する壁紙に剥離可能に取り付けられるアンカーシートを含み、上記アンカーシートを上記壁紙へと固定するようにした壁紙用物品支持具であって、
上記アンカーシートは、基材と、上記基材の一方の面に形成される粘着剤層とからなり、
上記粘着剤層は、再剥離性を有し、上記アンカーシートを壁紙から取り外す際に上記粘着剤層が凝集破壊を起こすことがない粘着剤からなり、
上記基材は、表面に原料繊維に起因する微細な凹凸面がある紙材からなることを特徴と
している。
また、本発明は、壁面に取り付けて使用する物品を、当該壁面に貼られた壁紙に対して貼着する際に用い、凹凸面を有する壁紙に剥離可能に取り付けられるアンカーシートを含み、上記アンカーシートを上記壁紙へと固定するようにした壁紙用物品支持具であって、
上記アンカーシートは、基材と、上記基材の一方の面に形成される粘着剤層とからなり、
上記粘着剤層は、再剥離性を有し、層厚が１０〜５０μｍとされ、
上記基材は、表面に原料繊維に起因する微細な凹凸面がある紙材からなることを特徴としている。
【００１４】
上記発明の好ましい態様として、上記基材を植物繊維を原料とする和紙とするとよい。また、上記粘着剤層の粘着剤をアクリル系粘着剤とし、上記粘着剤層の層厚を１０〜５０μｍとすることが好ましい。
【００１５】
また、上記アンカーシートの表面にフック等の物品が取り付けられるベースプレートをさらに含み、
上記アンカーシートを介して、上記ベースプレートを上記壁紙へと固定するようにされており、上記ベースプレートは、その裏面側に上記アンカーシートとの接着手段を備えることもできる。
【００１６】
上記発明において、上記接着手段は、上記基材に対して３Ｎ／２０ｍｍ以上の接着力を有することが好ましく、上記接着手段を両面粘着テープとしてもよい。
【００１７】
また、上記発明において、上記ベースプレートは、上記物品が取り付けられた際に、撓みなどの変形が生じない材料とすることが好ましく、例えば、樹脂シート、あるいは木材や金属材料などで構成するとよく、図柄や色彩等の印刷が施されていてもよい。
【００１８】
また、本発明は、凹凸面を有する壁紙にフック、フィルムミラー、小物入れ、額縁等の物品を取り付けるにあたって、上記壁紙の上記物品の取り付け位置に貼着し、上記物品と上記壁紙との間に介在される物品取付け用のアンカーシートであって、
上記アンカーシートは、基材と、上記基材の一方の面に形成され、上記壁紙に対して貼着を行うための粘着剤層とを備え、
上記粘着剤層は、再剥離性を有し、上記アンカーシートを壁紙から取り外す際に上記粘着剤層が凝集破壊を起こすことがない粘着剤からなり、
上記基材は、表面に原料繊維に起因する微細な凹凸面がある紙材からなることを特徴としている。
また、本発明は、凹凸面を有する壁紙にフック、フィルムミラー、小物入れ、額縁等の物品を取り付けるにあたって、上記壁紙の上記物品の取り付け位置に貼着し、上記物品と上記壁紙との間に介在される物品取付け用のアンカーシートであって、
上記アンカーシートは、基材と、上記基材の一方の面に形成され、上記壁紙に対して貼着を行うための粘着剤層とを備え、
上記粘着剤層は、再剥離性を有し、層厚が１０〜５０μｍとされ、
上記基材は、表面に原料繊維に起因する微細な凹凸面がある紙材からなることを特徴としている。
【００１９】
上記発明の好ましい態様として、上記基材を植物繊維を原料とする和紙とするとよい。
【発明の効果】
【００２０】
本発明によれば、壁紙に貼着されるアンカーシートの基材を、例えば、和紙のように、その原料繊維が長く、表面に細かな凹凸を有する柔軟性のある紙材とすることにより、基材を壁紙の凹凸面に追従するように接触させることができるため、壁紙に対する十分な接着面積を確保することができる。そのため、従来では難しかった凹凸面のある壁紙にフック等の物品を確実に保持することができる。
【００２１】
また、アンカーシートの粘着剤層は、例えば、再剥離性を有し、変形が自由で被着体の選択性のあるアクリル系粘着剤とすることにより、アンカーシートを剥がす際に、壁面に対して糊残りさせることなく容易に取り外すことができる。
【００２２】
さらに、ベースプレートとアンカーシートの間に貼着される、例えば、両面粘着テープなどの接着手段の粘着力を、基材に対して３Ｎ／２０ｍｍ以上の粘着力とすることにより、ベースプレートに比較的荷重のある物品を取り付けた場合であっても、ベースプレートがアンカーシートから剥がれることなく、物品を安定的に固定することができる。
【００２３】
さらにまた、ベースプレートを、ある程度荷重のある物品をベースプレートに取り付けても撓みなどの変形が生じない材料とすることにより、ベースプレートとアンカーシートとを確実に接着できるため、物品を安定的に支持することができる。
【００２４】
この場合、ベースプレートに図柄や色彩等の印刷を施せば、インテリア雑貨としての装飾性を持たせることもできる。
【００２５】
また、本発明によれば、凹凸面を有する壁紙に、例えば、両面粘着テープなどの接着手段を介してフック等の物品を取り付けるにあたって、例えば、和紙のように、その原料繊維が長く、表面に細かな凹凸を有する柔軟性のある紙材からなるアンカーシートを壁紙と両面粘着テープとの間に介在させることにより、従来では難しかった凹凸面のある壁紙にフック等の物品を確実に保持することができる。
【図面の簡単な説明】
【００２６】
【図１】本実施形態に係る壁紙用物品支持具を分解して模式的に示す斜視図。
【図２】本実施形態に係る壁紙用物品支持具を分解して模式的に示す断面図。
【図３】本実施形態に係る壁紙用物品支持具を壁面に取り付けた状態を拡大して示す断面図。
【図４】本実施形態に係る粘着テープ保持力（凝集力）試験に用いた実験サンプルを模式的に示す説明図。
【図５】実施例１で使用した基材の表面形状を示すグラフ図。
【発明を実施するための形態】
【００２７】
次に、図１〜図３を参照して本発明の実施形態について図面を参照しながら説明するが、本発明はこれに限定されるものではない。
【００２８】
図１および図２に示すように、本発明の壁紙用物品支持具は、フック等の係止具Ｈが取り付けられるベースプレート１と、壁紙Ｗに再剥離可能に貼着されるアンカーシート２とから構成されている。
【００２９】
なお、本発明の壁紙用物品支持具は、従来では取付けが困難であった、例えば、塩化ビニル製などの凹凸面を有する壁紙に貼着可能であるため、以下の説明において、壁紙は、図２および図３に示すように、凹凸面を有する壁紙Ｗを例として説明する。
【００３０】
ベースプレート１は、その表面１ａにフック等の係止具Ｈが取り付けられるようになっているが、その裏面１ｂ側には、アンカーシート２への貼着可能な接着手段３が備えられる。
【００３１】
ベースプレート１は、フック等の係止具Ｈが取り付けられた際に撓みなどの変形が生じない材料からなり、本実施形態では、ポリエチレンテレフタレート（ＰＥＴ樹脂）からなる透明な樹脂シートとしている。
【００３２】
なお、この例では、ベースプレート１に７５０ｇと比較的加重のある係止具Ｈを取り付ける例で説明しているため、撓みなどの変形がなく、面として作用するように、その厚みが０．５ｍｍとされているが、ベースプレートの厚みは取り付けられる物品の重さに応じて適宜設計すればよい。
【００３３】
また、ベースプレート１には、図示はされていないが、その裏面１ｂ側に図柄や色彩等の印刷を施しても良く、これにより、壁面を装飾するインテリア雑貨として装飾性を持たせることができる。
【００３４】
本実施形態において、接着手段３は、アンカーシート２へと貼り付けられた際に、高荷重性能を発揮することができるよう、例えば、後述するアンカーシート２の基材２１に対して３Ｎ／２０ｍｍ以上の接着力とされている。
【００３５】
なお、接着手段３は、ベースプレート１の裏面１ｂ側に上記接着力を有する粘着剤により粘着剤層を形成してもよいが、この例では、例えば、発泡オレフィン系基材の両面にゴム系もしくはアクリル系の粘着剤を塗工した両面粘着テープが用いられている。
【００３６】
アンカーシート２は、基材２１と、基材２１の一方の面に形成される粘着剤層２２とからなり、この例で基材２１は厚みが０．０７ｍｍの和紙から構成されている。
【００３７】
本発明において、粘着剤層２２は、再剥離性を有する粘着剤から形成されており、その粘着力は、アンカーシート２を壁紙Ｗから取り外す際に、粘着剤層２２が凝集破壊を起こすことなく、壁紙Ｗからスムーズに剥離させることができる程度の粘着力とされている。
【００３８】
粘着剤層２２を構成する粘着剤は、上記のような再剥離性を有する粘着力を備えるものであれば良いが、価格や被着体の選択性、耐熱、耐候性の観点から、好ましくはアクリル系粘着剤とするとよく、この例では、乳化重合によるアクリル系共重合体をベースポリマーとするアクリル系粘着剤が用いられている。
【００３９】
なお、粘着剤層２２は、エマルジョン系、ホットメルト系等の塗工方法は問わないが、塗工時の作業性、剥離時の剥がしやすさ、また、壁紙Ｗへの保持能力を考慮して１０〜５０μｍが好ましいが、この例では、厚みが１５μｍとされている。
【００４０】
ここで、粘着剤２２の厚みを１０μｍ以下とすると、粘着力が低くなりすぎ、保持性能を発揮できないため好ましくなく、また、糊厚５０μm以上では、粘着力が強くなりすぎ、剥離時に壁紙破壊を起こす可能性があるため、好ましくない。
【００４１】
また、本実施形態において、ベースプレート１とアンカーシート２とは、ともに同一径を有する円形状とされており、この例では、例えば、直径１２５ｍｍの円形状とされている。
【００４２】
ここで、本実施形態の壁紙用物品支持具を壁紙Ｗに取り付ける方法を説明すると、まず、アンカーシート２の粘着剤層２２の表面に取り付けられた剥離紙（図示せず）を取り外し、アンカーシート２を壁紙Ｗへとを取り付ける。
【００４３】
次に、アンカーシート２の基材２１と壁紙Ｗの凹凸面とが馴染む時間を確保するため、少なくとも６時間以上放置する（以下、基材が壁紙Ｗの凹凸面に馴染んでいくことを、基材の壁紙Ｗへの「追従性」という。）ことが好ましい。
【００４４】
そして、両面粘着テープ３を介して、ベースプレート１をアンカーシート２の基材２１へと重ね併せて貼り付ける。この場合、フックＨをベースプレートに予め取り付けておいてもよいし、ベースプレート１をアンカーシート２に貼り付けた後に取り付けてもよい。
【００４５】
なお、上記実施形態では、基材２１を植物繊維を原料とする和紙として説明しているが、基材２１は和紙に限らず、壁紙Ｗの凹凸面へと追従できれば良く、例えば、表面に平滑性を持たせた一般的なコート紙（印刷紙）は不向きであるが、クレープ紙など、表面に原料繊維に起因する微細な凹凸面がある紙材であれば本発明の基材に適用可能である。
【００４６】
また、基材２１は植物繊維を原料とする紙材に限らず、壁紙壁紙Ｗの凹凸面へと追従できる繊維材料であればよく、例えば、ナイロンやアクリルなどの柔軟性に富む合成繊維であってもよい。
【００４７】
本実施形態では、ベースプレート１とアンカーシート２の形状を直径１２５ｍｍの円形状としているが、この大きさおよび形状に限られることはなく、例えば、三角形状、四角形状、星形状などの適宜の大きさおよび形状が選択可能である。
【００４８】
また、本実施形態においては、ベースプレート１をＰＥＴ樹脂としているが、これに限られることはなく、物品を取り付けた際に変形が生じないものであれば、ＡＢＳ樹脂やＰＰ樹脂などの他の樹脂シートであってよい。また、ベースプレート１として、撓みなどの変形が生じない木材や金属製としてもよい。
【００４９】
本実施形態では、フックＨは両面粘着テープ３を介してベースプレート１のほぼ中央に取り付けられている。これは、フックＨにかかる荷重を考慮してのことであり、フックＨにかかる荷重が軽量であれば、フックＨを装飾板のどの位置に取り付けても差し支えはない。
【００５０】
なお、上記実施形態では、ベースプレート１に取り付けられる物品をフックＨ等の係止具で説明しているが、本発明のベースプレート１に取り付けられる物品はそれに限られることはなく、例えば、薄型のフィルムミラーや小物入れ、あるいは額縁などであってよい。
【００５１】
また、フック等の物品を凹凸ある壁紙Ｗに取り付けるにあたって、ベースプレート１を介在させず、直接、両面粘着テープなどの接着手段を介して、物品をアンカーシート２に貼着して壁紙Ｗに固定してもよく、このような態様も本発明に含まれる。
【００５２】
本実施形態において、両面粘着テープ１２を、例えば、発泡オレフィン系基材の両面にゴム系もしくはアクリル系の粘着剤を塗工したものとしているが、これに限られることはなく、アンカーシート２の基材２１に対して３Ｎ／２０ｍｍ以上の粘着力を備えていればよく、アクリルフォームタイプの両面粘着テープや基材（気泡含有層）自体が粘着性をもった粘着剤であってよい。
【００５３】
以下、本発明について、実施例等を挙げてさらに具体的に説明するが、本発明はこれらの実施例等により何ら限定されるものではない。
【００５４】
上記従来技術でも問題としたように、一般的な再剥離性を有する粘着剤を塗工した粘着テープでは、凹凸面を有する壁紙への保持力が弱く、比較的軽量なフック等であっても、長時間壁紙に固定することは難しい。
【００５５】
また、現在、基材の片面に再剥離性粘着剤を塗工した基材としては、和紙、塩化ビニルシート（ＰＶＣ）、二軸延伸ポリプレンフィルム（ＯＰＰ）、ポリエチレンテレクタレート（ＰＥＴ）などが使用されているが、粘着剤はゴム系、アクリル系を問わず使用されている。
【００５６】
そこで、本発明者らは、凹凸面を有する壁紙に対して保持力を発揮するのは、接着剤というよりは、基材が大きく起因しているのではないかと考え、基材による凹凸面のある壁紙に対する保持力の違いを試験した（実施例１；基材別保持力測定実験）
【００５７】
〔実施例１；基材別保持力測定実験〕
再剥離性粘着シートの基材として、和紙（厚み；０．０７ｍｍ）、ＰＶＣ（厚み；０．０７ｍｍ）、ＯＰＰ（厚み；０．０４ｍｍ）、ＰＥＴ（厚み；０．０２５ｍｍ）を用い、基材に再剥離性の溶剤型アクリル系粘着剤（トーヨーケム社製；ＢＰＳ−６０６６）を、糊厚が１５μｍとなるように塗工した試験片Ａを作成した。
作成した試験片Ａを、図４に示すように、１０ｍｍ×２０ｍｍの面積になるように被着体（壁紙（アサヒペン製；ＳＤ−０６））Ｂに貼付し、そこに２ｋｇのローラで１往復させて荷重Ｇ（５０ｇ）をかけ、４０℃下に３０分放置し、試験片ごとの壁紙から剥がれ落ちた際の時間を測定した。
この実験を３回（試験時間；１日（１４４０分））行い、その平均値を以下に示す。
【００５８】
【表１】
0006427508.tif 000002
【００５９】
この結果から、同じ粘着剤、同じ糊厚を塗工した粘着シートであっても、基材の違いによって保持時間に違いがあることが検証された。また、糊厚１５μｍの接着剤を塗工した粘着シートでは、和紙の保持性能が優れていることが検証された。
なお、今回の実験では、一般的な基材ごとの保持性能を単に検証することを目的としたため、和紙は、市場でマスキングテープの基材として流通している標準的なもの選んでいる。同様に、ＰＶＣ，ＯＰＰ，ＰＥＴも多く市場に流通しているものを選択した。
【００６０】
本発明者らは、凹凸面のある壁紙に対する和紙の保持性能の高さは、和紙が、壁紙と粘着剤との接着面積を向上させているからではないかと考え、被着体として使用した壁紙の表面図と断面図を観察し、以下の見解を得た。
【００６１】
［壁紙の基材評価］
今回使用した壁紙（アサヒペン製；ＳＤ−０６）では、凹凸が格子状に並んでおり、凸部と凸部との間隔が約２ｍｍ、深さが約０．５ｍｍ程度であった（図５参照）。このことから、実施例１での試験片は、その粘着剤が壁紙の凸部に貼り付くことにより保持性能を発揮しているものと考えられたため、実施例１の試験片で用いた基材ごとに以下の特性を検証した。
【００６２】
［壁紙および基材の表面粗さ］
凹凸を持つ壁紙のような被着体に対し、特に和紙の保持性能が高かった理由として、壁紙に付着した粘着剤を覆うように、和紙が壁紙の凹凸面に馴染んでいくのではないかと考えられた（以下、和紙が壁紙の凹凸面に馴染んでいくことを、和紙の壁紙への「追従性」という。）。
そこで、実施例１にて被着体として使用した壁紙（アサヒペン製；ＳＤ−０６）の凸部と、試験片に使用した基材ごとの表面荒さを表面荒さ測定機（小坂研究所製；ＳＥ３５００）  機器条件；波長  ０．８ｍｍ，先端半径  ２μｍ，トレース長さ  ４．８ｍｍ）にて測定した。
【００６３】
その結果を以下に示す。なお、算術平均粗さ（Ｒａ）は、粗さ曲線からその平均線の方向に基準長さだけ抜き取り、この抜き取り部分の平均線から測定基準までの偏差の絶対値を合計し平均したものであり、その区間の凹凸状態を平均値で表したものである。
また、最大高さ（Ｒｙ）は、凹凸部の長さを示したものである。
【００６４】
【表２】
0006427508.tif 000003
これにより、壁紙の凸部に細かな凹凸があることや、和紙の表面が他の基材の表面に比べてかなり粗いことがわかった。
【００６５】
［壁紙および基材の表面形状］
次に、表面荒さ測定機（小坂研究所製；ＳＥ３５００）  機器条件；波長  ０．８ｍｍ，先端半径  ２μｍ，トレース長さ  ４．８ｍｍ）によるデータをもとに、壁紙および基材の表面形状を図５に示す。
これによると、壁紙（アサヒペン製；ＳＤ−０６）と同様に、和紙にも凹凸があることがわかる。これに対して、ＰＶＣ，ＯＰＰ，ＰＥＴのような基材には凹凸がない。
このことから、和紙の凹凸は壁紙に比して細かいものであるが、和紙が壁紙に対する保持力が高かった理由として、壁紙の凹凸面への食い込みが考えられる。
また、和紙の表面の凹凸は原料繊維である植物（コウゾ、ミツマタ）などを混抄して製作されるため、原料繊維が長くなることに起因するとも考えられる。これに対して、ＰＶＣ，ＯＰＰ，ＰＥＴのような基材は、延伸されて製造されるため、それらの表面が滑らかな平滑面となっていると考えられる。
【００６６】
［基材の剛性と弾性］
次に、発明者らは、和紙が壁紙に対して保持機能を発揮した要因として、和紙の壁紙の凹凸面に対する追従性であると考えたが、その起因を検証するため、基材の剛性と弾力を調べることとした（カトーテック社製；純曲げ試験機ＫＥＳ  ＦＢ２  機器条件；曲げ曲率  ２．５ｃｍ−１（０．４〜２．５），感度  ４（ｍａｘ），繰り返し  １回，方向  ＷＡＲＰ，特性計算データ（Ｂ１＝０．５；Ｂ２＝１．５；２ＨＢ＝１．０）。
【００６７】
その結果を表３に示す
【表３】
0006427508.tif 000004
今回の測定のうち、曲げ剛性は、人間が物体を曲げたときに感じる柔らかさと相関が取れ、この値が大きくなるほど硬く、小さくなるほど柔らかい。また、弾力は、人間が物体を曲げて戻した時に感じる弾力性と相関が取れ、この値が大きくなるほど弾力性が悪く、小さくなるほど弾力性が良い。
この結果によると、和紙を除いたＰＶＣ，ＯＰＰ，ＰＥＴは、厚みが増すほど曲げ剛性が硬くなっている。これに対して、和紙は、ＰＥＴより厚みがあるにもかかわらず、ＰＥＴに近い柔らかさを備えていることが判る。
なお、弾力性に関しては、ＰＶＣの弾力性が非常に悪いことはわかったが、和紙が特に弾力性に優位性を持っているとは考えられず、基材の弾力性は、和紙の壁紙への保持性能とは関係ないことが判った。
【００６８】
［糊厚の検討］
上記実施例１では、糊厚が１５μｍでは、基材が和紙である場合に壁紙への保持性能が一番高いことが判った。そこで、糊厚の変化により、和紙以外の基材でも壁紙への同様の保持性能があるのではないかと考えられるため、糊厚を変化させることにより、実施例１と同様の試験を行った。
【００６９】
その試験結果を表４に示す。
【表４】
0006427508.tif 000005
これによると、糊厚が１５μｍでは保持性能が悪かったＯＰＰとＰＥＴでは、糊厚を高くすることによって保持性能が向上することが判る。これは、糊厚が高くなることにより、壁紙の凹凸面に糊が入り込んで粘着力が高くなったためと考えられる。
なお、ＰＶＣは、糊厚を高くしても保持性能は上がらず、この理由として先の弾性試験において、ＰＶＣの弾力性が他の基材に比べて低いことが要因ではないかと考えられる。弾力性がないと言うことは、基材に力を加えても変形しないため、壁紙への追従性が図れないからと思われる。
【００７０】
［基材の凹凸面ある壁紙への保持性能の検討結果］
以上の実験および検証から、再剥離性粘着シートのうち、基材を和紙とした凹凸面のある壁紙への保持性能の優位性を知ることができた。そして、糊厚が薄い場合では、和紙の保持性能は他の基材より格段優れていることも検証できた。
そして、この保持能力の優位性は、和紙の表面に原料繊維である植物繊維による凹凸があることに加えて、和紙が他の基材に比べて非常に柔らかいことから、被着体（壁紙）に対する追従性がよく、接着面積が確保できるためと考えられる。
なお、糊厚を厚くすれば、和紙以外のＯＰＰやＰＥＴでも保持性能が上がることは確認できたが、コスト面、環境面などを考慮すれば、和紙の優位性は変わらないものと考えられる。
【００７１】
以上により、アンカーシートの基材は、糊厚が薄い場合は基材を和紙とすることが好ましいが、糊厚を厚くすれば他の基材（ＯＰＰやＰＥＴ）でも代用可能であることがわかった。
【００７２】
ただし、本発明においては、フック等の係止具Ｈが取り付けられたベースプレート１をアンカーシート２の基材２１に重ね貼りして用いることから、ベースプレート１がアンカーシート２から脱落しないことが重要である。したがって、基材２１の表面２１ａには、背面処理（剥離処理）がなされていないことが望ましい。
【００７３】
しかしながら、本発明のアンカーシート２として適用される再剥離性を有する粘着剤層を有する、いわゆる粘着シートは、通常、製品として巻物にされるため、粘着剤層と重ね合わされる基材２１の表面２１ａには背面処理がなされているか剥離紙が貼付されている。
【００７４】
そこで、背面処理がなされている場合には、背面処理がなされていない場合と同様の接着力を得ることができないことから、ベースプレート１がアンカーシート２から剥がれない粘着力を知るため、以下の実験を行った（実施例２；ベースプレート１とアンカーシート２との接着力）
【００７５】
［実施例２；ベースプレート１とアンカーシート２との接着力］
剥離処理の異なる和紙を基材とする市販のマスキングシートを用い、ベースプレート１の両面粘着テープ１２と同じ組成からなる両面粘着テープ（日東電工株式会社製；両面粘着テープＮｏ．５７５）のマスキングテープに対する接着力（背面接着力）を比較した。
剥離処理の異なる４種のマスキングテープＡ，Ｂ，Ｃ，Ｄの基材表面を被着体とし、両面粘着テープ（日東電工株式会社製；両面粘着テープＮｏ．５７５）を、１０ｍｍ×２０ｍｍの面積になるように被着体に貼付し、そこに２３℃の条件下で２ｋｇのローラで１往復させ、２０分経過後に引張試験機（ＯＲＩＥＮＴＥＣ社製；ＲＴＣ−１２１０Ａ）で１８０度方向に引張速度３００ｍｍ／ｍｉｎで剥離したときの接着力を測定した。
その結果を表５に示す。
【表５】
0006427508.tif 000006
【００７６】
［実施例３；壁紙用物品支持具と壁紙との接着力］
また、表６に示す構成とした壁紙用物品支持具ＳにフックＨを取り付けたサンプルを作製し、これを実施例２で接着力を測定したマスキングテープを用いて、壁紙に取付け、それぞれの保持能力を検証した。
【表６】
0006427508.tif 000007
【００７７】
本実施例では、アサヒペン製ＳＤ−０６を被着体とし、実施例２と同じマスキングテープを被着体Ｃに貼付し、２３℃の条件下で２ｋｇのローラで１往復させ、４０℃の室温で３０分放置した後、７５０ｇのフックを取付け１ヶ月保持させた。これの試験を５回繰り返したが、表７に示すように、両面粘着テープの接着力が３Ｎ／２０ｍｍ以下のものは、マスキングテープから脱落することがわかった。
【表７】
0006427508.tif 000008
【００７８】
［ベースプレートとアンカーシートとの保持性能の検討結果］
実施例２及び実施例３から、アンカーシート２のベースプレート１への保持性能は、両面粘着テープ１２の基材表面２１に対する接着力が３Ｎ／２０ｍｍ以上のものが好ましいことがわかった。
【００７９】
［実施例４；アンカーシートの壁紙への追従確保時間］
上記マスキングテープＤを用い、壁紙（アサヒペン製ＳＤ−０６）の凹凸に馴染む
（追従性確保）時間を検証するため、以下のような試験を行った。
壁紙（アサヒペン製ＳＤ−０６）を被着体とし、上記マスキングテープＤを１５ｍｍ×１５ｍｍの面積になるように被着体に貼付し、そこに２３℃の条件下で２ｋｇのローラで１往復させ、所定時間経過後に引張試験機（ＳＨＩＭＡＤＺＵ社製；ＡＧＳ−Ｘ）で１８０度方向に引張速度５０ｍｍ／ｍｉｎで剥離したときの接着力を測定した。
【００８０】
その結果を表８に示す。
【表８】
0006427508.tif 000009
【００８１】
以上の実施例などにより、凹凸面のある壁紙への保持性能を高める第１の要因は、基材であることがわかった。また、基材は、その表面に凹凸面が備えられることにより壁紙の凹凸面に追従することがかわった。
【００８２】
また、紙材は繊維材料からなり、その表面に凹凸面を有することは知られているが、特に原料繊維が長い和紙が、基材として優位性が高いと思われる。
【符号の説明】
【００８３】
１  ベースプレート
２  アンカーシート
２１  基材
２２  粘着剤層
３  接着手段
Ｗ  壁紙
Ｈ  フック
【図１】
0006427508.tif 000010
【図２】
0006427508.tif 000011
【図３】
0006427508.tif 000012
【図４】
0006427508.tif 000013
【図５】
0006427508.tif 000014